(57)【要約】【課題】  小型無人走行車の減速機として、正逆転可能な動力源（モータ）から走行機構に動力を常時伝達でき、かつ走行中に前進・後退、高速・低速を自由に切り替えられる正逆転可能な２段変速機を提供する。【解決手段】  遊星歯車減速機１０と、駆動装置１の出力軸２と遊星歯車減速機の内歯歯車１６とを電磁的に連結しかつ切断可能な電磁クラッチ２０と、内歯歯車を回転不能に固定する「ロック状態」とその回転を自由にする「フリー状態」とに機械的に切り替え可能なメカニカルクラッチ３０とを備える。遊星歯車減速機１０は、正逆転可能な駆動装置１の出力軸２に入力軸が連結された太陽歯車１２と、太陽歯車に噛み合う複数の遊星歯車１４と、遊星歯車に噛み合う内歯歯車１６と、遊星歯車をその軸心を中心に回転可能に保持し、入力軸と同一の軸心を中心に回転し、かつ出力軸１９に連結されたキャリア１８とを有する。【選択図】      図２
2006234062.tif 000002
【特許請求の範囲】
【請求項１】
正逆転可能な駆動装置の出力軸に入力軸が連結され外歯を有する太陽歯車と、該太陽歯車に噛み合う外歯を有する複数の遊星歯車と、該複数の遊星歯車の外歯に噛み合う内歯を有する内歯歯車と、前記複数の遊星歯車をその軸心を中心に回転可能に保持し、入力軸と同一の軸心を中心に回転し、かつ出力軸に連結されたキャリアと、を有する遊星歯車減速機と、
該駆動装置の出力軸と前記内歯歯車とを電磁的に連結しかつ切断可能な電磁クラッチと、
前記内歯歯車を回転不能に固定するロック状態とその回転を自由にするフリー状態とに機械的に切り替え可能なメカニカルクラッチと、を備えたことを特徴とする正逆転可能な２段変速機。
【請求項２】
前記内歯歯車に連結され、入力軸と同一の軸心を中心に回転する制御軸と、
固定部材に固定されたハウジングとを備え、
前記メカニカルクラッチは、前記ハウジングに取り付けられ制御軸を回転可能に支持するツーウェイクラッチである、ことを特徴とする請求項１に記載の正逆転可能な２段変速機。
【請求項３】
前記ツーウェイクラッチは、制御軸の外周面から間隔を隔ててハウジングに固定され内面にカム面を有する外輪と、該外輪と制御軸の間に位置する複数の円筒形ころと、該円筒形ころを周方向に一定の間隔で保持する保持器と、該保持器を周方向の中央位置と正転位置又は逆転位置との間で移動可能な保持器移動装置とからなり、
前記外輪のカム面は、保持器の中央位置で円筒形ころとの間に「すきま」を有し、保持器の正転位置で正転方向に狭まり円筒形ころに接触する正転ロック面を有し、保持器の逆転位置で逆転方向に狭まり円筒形ころに接触する逆転ロック面を有する、ことを特徴とする請求項２に記載の正逆転可能な２段変速機。
【請求項４】
前記保持器移動装置は、保持器に一端が連結され半径方向に延びる保持器レバーと、該保持器レバーをその中央位置に保持する保持状態と、中央位置に移動可能に開放する開放状態と、正転位置又は逆転位置から中央位置に戻す復帰状態とに移動するレバー駆動装置とからなる、ことを特徴とする請求項３に記載の正逆転可能な２段変速機。
【発明の詳細な説明】
【技術分野】
【０００１】
本発明は、正逆転可能な動力源（モータ）から走行機構に動力を常時伝達し、かつ走行中に前進・後退、高速・低速を切り替える正逆転可能な２段変速機に関する。
【背景技術】
【０００２】
図４は、２Ｓ−Ｃ形として知られる遊星歯車減速機の模式図である。この図において、入力軸をａ’、太陽歯車をａ（回転数Ｎａ，ピッチ円直径Ｄａ）、内歯車をｂ（回転数Ｎｂ，ピッチ円直径Ｄｂ）、遊星歯車をｃ（回転数Ｎｃ，ピッチ円直径Ｄｃ）、出力軸をｄ（回転数Ｎｄ）とする。
この遊星歯車減速機の内歯車ｂを固定（回転数Ｎｂ＝０）したとき、出力軸ｄの回転数Ｎｄと入力軸（太陽歯車ａ）の回転数Ｎａとの速度比は、式（１）で示される。
Ｎｄ／Ｎａ＝（Ｄａ／Ｄｂ）／（１＋Ｄａ／Ｄｂ）・・・（１）
【０００３】
ここで、例えば、Ｄｃ／Ｄａ＝２．５とすると、Ｄｂ＝Ｄａ＋２Ｄｃ＝６Ｄａ、Ｄａ／Ｄｂ＝１／６となる。従って式（１）から、Ｎｄ／Ｎａ＝（１／６）／（１＋１／６）＝１／７となり、減速比１：７の減速機として機能する。
一方、内歯車ｂを入力軸に連結すれば、全体が一体として回転し、Ｎｄ／Ｎａ＝１、減速比１：１となる。
従って、上述した遊星歯車減速機を用いることにより、内歯車ｂを固定する場合（減速比１：７）と、内歯車ｂを入力軸に連結する場合（等速）の２段変速機を構成することができる。
【０００４】
なお、かかる遊星歯車減速機を用いた減速装置として、特許文献１、２等が既に知られている。
【０００５】
特許文献１の「電動工具」は、図５に示すように、遊星歯車機構５２と、内接式遊星機構５３とを直列に配した減速機を備えるものである。この構成により、小型大減速比でありかつ変速を可能にしている。
特許文献２の「正逆転可能な無段減速機」は、図６に示すように、遊星歯車減速機構の太陽歯車ａに入力軸ａ’を固定し、遊星歯車ｃの公転軸に出力軸ｄを連結すると共に、内歯車ｂが形成された内歯ホイール５９の外周に伝達歯車ｆを形成し、この伝達歯車ｆと噛み合う制御歯車ｅに制御軸ｅ’を固定し、この制御軸ｅ’の回転数を制御して減速比を変更するものである。
【０００６】
【特許文献１】特開平１０−３２９０５６号公報、「電動工具」
【特許文献２】特開平５−７１６０１号公報、「正逆転可能な無段減速機」
【発明の開示】
【発明が解決しようとする課題】
【０００７】
地震等の災害時において、崩壊した家屋等の隙間を走行して、被害者等の発見等に役立てるため、無線で遠隔操作可能な非常に小型の無人走行車が要望されている。かかる小型無人走行車は、車輪又は無限軌道（クローラ）の走行機構を備え、走行中の高速・低速の切替えと、低速走行中の前進・後退の切替えができる必要がある。
【０００８】
このような、小型無人走行車の変速機として、上述した従来の遊星歯車減速機を用いた場合、以下のような問題点があった。
特許文献１のように、遊星歯車機構と内接式遊星機構を直列に配した変速機の場合、内接式遊星機構が複雑であり、小型無人走行車の変速機が大型となる。
特許文献２のように、制御歯車ｅで内歯ホイールの回転数を制御する場合、制御歯車ｅの駆動動力が大型となり、結果として小型無人走行車の変速機が大型となる。
【０００９】
従来の遊星歯車減速機を用い、内歯車ｂを固定するための出力側電磁クラッチと、内歯車ｂを入力軸に連結するための入力側電磁クラッチを用いた場合、特に出力側電磁クラッチの制動トルクが減速比に比例して非常に大きくなるため、出力側の電磁クラッチは減速比に応じて非常に大きい容量が必要となり、高減速比となるほど重量が増加する。
また、電磁クラッチに比べて制動トルクが大きくかつ小型なメカニカルクラッチを用いた場合、走行中の高速・低速の切替えと、低速走行中の前進・後退の切替えが円滑にできない問題点がある。そのため、メカニカルクラッチを用いた場合は、走行中の高速・低速の切替えと、低速走行中の前進・後退の切替えのための機構が複雑化し、重量の増加、機構の大型化につながる。
【００１０】
本発明は、上述した要望を満たし問題点を解決するために創案されたものである。すなわち、本発明の目的は、小型無人走行車の変速機として、正逆転可能な動力源（モータ）から走行機構に動力を常時伝達でき、かつ走行中の高速・低速の切替えと、低速走行中の前進・後退の切替えができる正逆転可能な２段変速機を提供することにある。
【課題を解決するための手段】
【００１１】
本発明によれば、正逆転可能な駆動装置の出力軸に入力軸が連結され外歯を有する太陽歯車と、該太陽歯車に噛み合う外歯を有する複数の遊星歯車と、該複数の遊星歯車の外歯に噛み合う内歯を有する内歯歯車と、前記複数の遊星歯車をその軸心を中心に回転可能に保持し、入力軸と同一の軸心を中心に回転し、かつ出力軸に連結されたキャリアと、を有する遊星歯車減速機と、
該駆動装置の出力軸と前記内歯歯車とを電磁的に連結しかつ切断可能な電磁クラッチと、
前記内歯歯車を回転不能に固定するロック状態とその回転を自由にするフリー状態とに機械的に切り替え可能なメカニカルクラッチと、を備えたことを特徴とする正逆転可能な２段変速機が提供される。
【００１２】
本発明の好ましい実施形態によれば、前記内歯歯車に連結され、入力軸と同一の軸心を中心に回転する制御軸と、
固定部材に固定されたハウジングとを備え、
前記メカニカルクラッチは、前記ハウジングに取り付けられ制御軸を回転可能に支持するツーウェイクラッチである。
【００１３】
また前記ツーウェイクラッチは、制御軸の外周面から間隔を隔ててハウジングに固定され内面にカム面を有する外輪と、該外輪と制御軸の間に位置する複数の円筒形ころと、該円筒形ころを周方向に一定の間隔で保持する保持器と、該保持器を周方向の中央位置と正転位置又は逆転位置との間で移動可能な保持器移動装置とからなり、
前記外輪のカム面は、保持器の中央位置で円筒形ころとの間に「すきま」を有し、保持器の正転位置で正転方向に狭まり円筒形ころに接触する正転ロック面を有し、保持器の逆転位置で逆転方向に狭まり円筒形ころに接触する逆転ロック面を有する。
【００１４】
また前記保持器移動装置は、保持器に一端が連結され半径方向に延びる保持器レバーと、該保持器レバーをその中央位置に保持する保持状態と、中央位置に移動可能に開放する開放状態と、正転位置又は逆転位置から中央位置に戻す復帰状態とに移動するレバー駆動装置とからなる。
【発明の効果】
【００１５】
上記本発明の構成によれば、正逆転可能な駆動装置の出力軸と遊星歯車減速機の内歯歯車とを電磁クラッチで連結するので、この電磁クラッチの伝達トルクが小さいので小型化でき、かつ電磁クラッチの摩擦板によって変速前後の相対速度を吸収できるので、駆動中の変速が円滑にできる。
【００１６】
また、機械的に切り替え可能なメカニカルクラッチで、遊星歯車減速機の内歯歯車を回転不能に固定する「ロック状態」とその回転を自由にする「フリー状態」とに切り替えるので、高トルク伝達可能かつ小型軽量であるメカニカルクラッチの特徴により、減速比が大きく高トルクが作用するのもかかわらず、メカニカルクラッチを小型化できる。
従って、小型無人走行車の変速機として、正逆転可能な動力源（モータ）から走行機構に動力を常時伝達でき、かつ走行中の高速・低速の切替えと、低速走行中の前進・後退の切替えができる。
【発明を実施するための最良の形態】
【００１７】
以下、本発明の好ましい実施形態を図面を参照して説明する。なお各図において、共通する部分には同一の符号を付し、重複した説明は省略する。
【００１８】
図１は、本発明による２段変速機の全体構成図である。この２段変速機は、小型無人走行車の変速機として、正逆転可能な動力源から図示しない走行機構に動力を常時伝達でき、かつ走行中に前進・後退、高速・低速を自由に切り替えられる機能を有する。なお、本発明は、小型無人走行車の変速機に限定されず、その他の用途にも同様に適用することができる。
この図において、正逆転可能な駆動装置１は、好ましくは電動機であり、電気的な変速機構を有しているのが好ましい。電動機は、直流電動機、交流電動機のいずれでもよく、変速機構は、周知の直流可変速駆動方式、交流直流可変速駆動方式のいずれでもよい。
また、駆動装置１は、正逆転可能な変速機を備えた電動機、液圧モータ、空圧モータ、或いは小型エンジンであってもよい。
【００１９】
本発明の２段減速機は、遊星歯車減速機１０、電磁クラッチ２０およびメカニカルクラッチ３０を備える。
正逆転可能な駆動装置１は、出力軸２を有し、この出力軸２はその軸心Ｚ-Ｚを中心に正転又は逆転する。この正転又は逆転、およびその速度制御は図示しない電動機制御装置で行われる。なお、本発明において、「正転」とは、駆動装置１の出力軸からみて時計回りを意味し、「逆転」とは、駆動装置１の出力軸からみて反時計回りを意味する。
【００２０】
遊星歯車減速機１０は、太陽歯車１２、複数の遊星歯車１４、内歯歯車１６及びキャリア１８を有する。
電磁クラッチ２０は、駆動装置１の出力軸２と遊星歯車減速機の内歯歯車１６とを電磁的に連結し切断する機能を有する。
メカニカルクラッチ３０は、遊星歯車減速機の内歯歯車１６を回転不能に固定する「ロック状態」と、その回転を自由にする「フリー状態」とに機械的に切り替え可能な機能を有する。
【００２１】
図２は、図１の２段変速機の模式図である。この図において、太陽歯車１２は、正逆転可能な駆動装置１の出力軸２に連結された入力軸１３と、遊星歯車１４と噛み合う外歯１２ａを有する。
複数（図には２つのみを示す）の遊星歯車１４は、太陽歯車に噛み合う外歯１４ａを有する。
内歯歯車１６は、複数の遊星歯車１４の外歯１４ａに噛み合う内歯１６ａを有する。
キャリア１８は、複数の遊星歯車１４をその軸心を中心に回転可能に保持し、入力軸１３と同一の軸心Ｚ-Ｚを中心に回転し、かつ出力軸１９に連結されている。
【００２２】
上述した構成の遊星歯車減速機１０を用いることにより、内歯歯車１６を回転不能に固定すれば入力軸１３の回転速度を所定の減速比（例えば１：７）で減速して出力軸１９を駆動することができ、内歯歯車１６を入力軸１３に連結すれば、入力軸１３と出力軸１９の回転速度が等しい等速で出力軸１９を駆動することができる。
【００２３】
図２において、電磁クラッチ２０は、ロータ２２、アーマチュア２４、電磁石２６及び板バネ２７からなる。
ロータ２２は、駆動装置１の出力軸２及び／又は遊星歯車減速機の入力軸１３に中心部が連結され、出力軸２及び入力軸１３と共に軸心Ｚ-Ｚを中心に回転する。
アーマチュア２４は、遊星歯車減速機の内歯歯車１６に接続部品２５を介して連結され、内歯歯車１６と共に軸心Ｚ-Ｚを中心に回転する。
板バネ２７は、ロータ２２とアーマチュア２４の間に入っている。
ロータ２２は、アーマチュア２４の図で左側面に対向する位置に、摩擦板２３を備えている。
電磁石２６は、摩擦板２３の背面（図で左側）に間隔を隔てて位置し、通電により電磁石２６を励磁すると、アーマチュア２４が摩擦板２３側に引き付けられ、その時板バネ２７が伸び、板バネ２７を介して、ロータ２２と接続部品２５を連結する。逆に、電磁石２６を非励磁すると、アーマチュア２４は板バネ２７に引張られて接続部品２５側に戻り、ロータ２２との間を切り離すようになっている。
従って、電磁クラッチの電磁石２６のＯＮ／ＯＦＦ（通電／切断）により、ロータ２２とアーマチュア２４及び接続部品２５を連結し、切断することができる。
また摩擦板２３によって相対速度を吸収することができるので、そのＯＮ／ＯＦＦ（通電／切断）を円滑にできる。
【００２４】
さらに図２において、内歯歯車１６に連結され、入力軸１３と同一の軸心Ｚ-Ｚを中心に回転する制御軸３２と、固定部材３（例えば小型無人走行車のフレーム）に固定されたハウジング３４とを備える。この例において、制御軸３２は、出力軸１９を間隔を隔てて囲む中空円筒部３２ａを有する。
【００２５】
図３は、メカニカルクラッチの作動説明図である。なおこの図は、図２のＡ矢視図であり、駆動装置１の出力軸から見たものである。
この図において、本発明のメカニカルクラッチ３０は、ハウジング３４に取り付けられ、制御軸３２の中空円筒部３２ａを回転可能に支持するツーウェイクラッチである。
【００２６】
このツーウェイクラッチ３０は、外輪３６、複数の円筒形ころ３７、保持器３８および保持器移動装置４０（図２参照）とからなる。
外輪３６は、制御軸３２（中空円筒部３２ａ）の外周面から間隔を隔ててハウジング３４に固定され、内面にカム面３６ａを有する。
複数の円筒形ころ３７は、外輪３６と制御軸３２の間に位置する。
保持器３８は、円筒形ころ３７を周方向に一定の間隔で保持する。
保持器移動装置４０は、保持器３８を周方向の「中央位置」と「正転位置」又は「逆転位置」との間で移動可能に構成されている。
【００２７】
図３において、（Ａ）は保持器３８の周方向「中央位置」、（Ｂ）は「逆転位置」、（Ｃ）は「正転位置」を示している。また表１はこのツーウェイクラッチの４通りの制御状態を示している。
【００２８】
【表１】
2006234062.tif 000003
【００２９】
図３（Ａ）において、外輪３６のカム面３６ａは、保持器３８の中央位置で円筒形ころ３７との間に「すきま」を有する。従って、後述する保持器レバーを中央位置に保持することにより、表１の機能１に示すように、制御軸３２を正転、逆転の両方向に自由に回転させることができる。
図３（Ｂ）において、外輪３６のカム面３６ａは、保持器３８の逆転位置で逆転方向に狭まり円筒形ころに接触する逆転ロック面を有する。従って、後述する保持器レバーを逆転位置に保持することにより、表１の機能２に示すように、制御軸３２の正転は自由にでき、逆転のみをロックすることができる。
図３（Ｃ）において、外輪３６のカム面３６ａは、保持器３８の正転位置で正転方向に狭まり円筒形ころ３７に接触する正転ロック面を有する。従って、後述する保持器レバーを正転位置に保持することにより、表１の機能３に示すように、制御軸３２の逆転は自由にでき、正転のみをロックすることができる。
【００３０】
さらに、図３（Ａ）の「中央位置」で保持器３８をフリーにすると、保持器は軸の回転方向に連れ回り、軸を正転させると保持器は正転位置（図３Ｃ）となり、逆に軸を逆転させると保持器は逆転位置  （図３Ｂ）となる。従って、後述する保持器レバーを中央位置で保持しないことにより、表１の機能４に示すように、制御軸３２の正転および逆転の両方をロックすることができる。
【００３１】
図２において、保持器移動装置４０は、保持器レバー４２とレバー駆動装置４４とからなる。
保持器レバー４２は、保持器３８に一端（内端）が連結され、半径方向に延び、外端がレバー駆動装置４４に連結されている。
レバー駆動装置４４は、保持器レバー４２をその中央位置に保持する保持状態と、中央位置に移動可能に開放する開放状態と、正転位置又は逆転位置から中央位置に戻す復帰状態とに移動する。
レバー駆動装置４４は、例えば直動シリンダ、電磁ソレノイド等のアクチュエータと、保持器レバー４２に連結されたリンク機構、等で構成することができる。
【００３２】
上記本発明の構成によれば、正逆転可能な駆動装置１の出力軸２と遊星歯車減速機１０の内歯歯車１６とを電磁クラッチ２０で連結するので、この電磁クラッチの伝達トルクが小さいので小型化でき、かつ電磁クラッチの摩擦板２３によって変速前後の相対速度を吸収できるので、駆動中の変速が円滑にできる。
また、機械的に切り替え可能なメカニカルクラッチ３０で、遊星歯車減速機の内歯歯車１６を回転不能に固定する「ロック状態」とその回転を自由にする「フリー状態」とに切り替えるので、高トルク伝達可能かつ小型軽量であるメカニカルクラッチの特徴により、減速比が大きく高トルクが作用するのもかかわらず、メカニカルクラッチを小型化できる。
従って、小型無人走行車の変速機として、正逆転可能な動力源（モータ）から走行機構に動力を常時伝達でき、かつ走行中の高速・低速の切替えと、低速走行中の前進・後退の切替えができる。
【００３３】
表２は上述した２段変速機を小型無人走行車の変速機とした場合の４通りの運転状態を示している。
【００３４】
【表２】
2006234062.tif 000004
【００３５】
小型無人走行車の前進時には、モータ（正逆転可能な駆動装置１）を正転し、後退時には逆転する。この正転／逆転は、図示しない電動機制御装置で自由に切り替えることができる。
【００３６】
低速時には、電磁クラッチ２０をＯＦＦ（切断）し、メカニカルクラッチ３０を両方向ロック位置（すなわち保持器レバー４２を中央位置に移動可能に開放する「開放状態」）にする。この状態では、表１の機能４に示すように、ハウジング３２の正転および逆転の両方がロックされるので、内歯歯車１６が回転不能に固定され、遊星歯車減速機１０により、入力軸１３の回転速度を所定の減速比（例えば１：７）で減速して出力軸１９を駆動し、低速回転となる。
この低速時において、電磁クラッチ２０とメカニカルクラッチ３０の状態をそのままにして、モータを正転／逆転させれば、低速前進と低速後退を図示しない電動機制御装置で自由に切り替えることができる。
【００３７】
高速時には、電磁クラッチ２０をＯＮ（接続）し、メカニカルクラッチ３０を両方向フリー位置（すなわち保持器レバー４２を中央位置に保持する保持状態）にする。この状態では、表１の機能１に示すように、制御軸３２の正転および逆転の両方が自由であり、電磁クラッチ２０により内歯歯車１６と入力軸１３が連結されるので、入力軸１３と出力軸１９の回転速度が等しい等速で出力軸１９を駆動し、高速回転となる。
【００３８】
さらに、低速前進時に、電磁クラッチ２０をＯＦＦ（切断）からＯＮ（接続）にし、メカニカルクラッチ３０を両方向ロック位置から両方向フリー位置に切り替えれば、低速前進から高速前進に切り替えることができる。
なおこの際、電磁クラッチ２０は、摩擦板２３によって相対速度を吸収することができるので、そのＯＮ／ＯＦＦ（通電／切断）をいつでも円滑にできる。また、メカニカルクラッチ３０は、両方向ロック位置において、遊星歯車機構により前進時は逆転位置に位置しているので、電磁クラッチ２０をＯＦＦ（切断）からＯＮ（接続）に切り替えると直ぐに逆転位置から中央に復帰するので、メカニカルクラッチであっても抵抗なく両方向フリー位置に切り替えることができる。
【００３９】
同様に、低速後退時に、電磁クラッチ２０をＯＦＦ（切断）からＯＮ（接続）にし、メカニカルクラッチ３０を両方向ロック位置から両方向フリー位置に切り替えれば、低速後退から高速後退に、抵抗なく円滑に切り替えることができる。
【００４０】
さらに、高速前進時に、電磁クラッチ２０をＯＮ（接続）からＯＦＦ（切断）にし、メカニカルクラッチ３０を両方向フリー位置から両方向ロック位置に切り替えれば、高速前進から低速前進に切り替えることができる。
この場合は、メカニカルクラッチ３０は、両方向フリー位置から両方向ロック位置には、低負荷で切り替えられるので、電磁クラッチ２０とメカニカルクラッチ３０の両方を円滑に切り替えることができる。
【００４１】
同様に、高速後退時に、電磁クラッチ２０をＯＮ（接続）からＯＦＦ（切断）にし、メカニカルクラッチ３０を両方向フリー位置から両方向ロック位置に切り替えれば、高速後退から低速後退に、抵抗なく円滑に切り替えることができる。
【００４２】
なお、本発明は、上述した実施形態に限定されず、本発明の要旨を逸脱しない範囲で種々に変更することができることは勿論である。
【図面の簡単な説明】
【００４３】
【図１】本発明による２段変速機の全体構成図である。
【図２】図１の２段変速機の模式図である。
【図３】図１のメカニカルクラッチの作動説明図である。
【図４】遊星歯車減速機の模式図である。
【図５】特許文献１の「電動工具」の構成図である。
【図６】特許文献２の「正逆転可能な無段減速機」の構成図である。
【符号の説明】
【００４４】
１  駆動装置、２  出力軸、
１０  遊星歯車減速機、１２  太陽歯車、１２ａ  外歯、１３  入力軸、
１４  遊星歯車、１４ａ  外歯、１６  内歯歯車、１６ａ  内歯、
１８  キャリア、１９  出力軸、
２０  電磁クラッチ、２２  ロータ、２３  摩擦板、
２４  アーマチュア、２５  接続部品、２６  電磁石、２７  板バネ、
３０  メカニカルクラッチ、３２  制御軸、３２ａ  中空円筒部、
３４  ハウジング、３６  外輪、３６ａ  カム面、
３７  円筒形ころ、３８  保持器、
４０  保持器移動装置、４２  保持器レバー、４４  レバー駆動装置
【図１】
2006234062.tif 000005
【図２】
2006234062.tif 000006
【図３】
2006234062.tif 000007
【図４】
2006234062.tif 000008
【図５】
2006234062.tif 000009
【図６】
2006234062.tif 000010